(57)【要約】【課題】太陽光エネルギーの回収率を従来よりも向上させ、太陽電池の発電電力を従来よりも効率的に利用することができる車両用電力制御装置を提供することである。【解決手段】電力制御装置２０（車両用電力制御装置）において、制御部２５は、補助用二次電池１２を供給源として蓄電された電力を変換して、車両Ｖｅｈに備えられる機器群４０のうちで一以上の機器を稼働する制御を行う。この構成によれば、補助用二次電池１２を供給源として蓄電された電力を一以上の機器に供給して稼働する制御を行う。太陽電池３０から供給される電力は補助用二次電池１２に蓄電されるので、太陽光エネルギーの回収率を従来よりも向上させることができる。また、一以上の機器に供給して稼働するので、太陽電池３０の発電電力を従来よりも効率的に利用することができる。【選択図】図２
2015149818.tif 000002
【特許請求の範囲】
【請求項１】
車両（Ｖｅｈ）に備えられる太陽電池（３０）から供給される電力を蓄電する補助用二次電池（１２）と、前記電力を変換して前記補助用二次電池に蓄電する制御を行う制御部（２５）とを有する車両用電力制御装置（２０）において、
前記制御部は、前記補助用二次電池に蓄電された電力を変換して、前記車両に備えられる一以上の機器を稼働する制御を行うことを特徴とする車両用電力制御装置。
【請求項２】
前記制御部は、前記太陽電池から電力が供給されること、および、要求があることのうちで一方または双方の条件を満たすと、前記機器を稼働する制御を行うことを特徴とする請求項１に記載の車両用電力制御装置。
【請求項３】
前記機器は、前記車両の走行に用いる走行用二次電池（１１）であり、
前記制御部は、前記補助用二次電池に蓄電された電力を変換して、前記走行用二次電池を昇温する制御を行うことを特徴とする請求項１または２に記載の車両用電力制御装置。
【請求項４】
前記機器は、前記車両の走行に用いる回転電機（４１）であり、
前記制御部は、前記車両が走行する際に、前記車両の走行に用いる走行用二次電池および前記補助用二次電池の一方または双方に蓄電された電力を変換して、前記回転電機を稼働させる制御を行うことを特徴とする請求項１から３のいずれか一項に記載の車両用電力制御装置。
【請求項５】
前記制御部は、前記補助用二次電池および前記走行用二次電池のうちで、一方の二次電池に蓄電された電力を変換して前記回転電機を稼働させた後、他方の二次電池に蓄電された電力を変換して前記回転電機を稼働させる制御を行うことを特徴とする請求項４に記載の車両用電力制御装置。
【請求項６】
前記制御部は、前記回転電機で回生される電力を変換して、少なくとも前記補助用二次電池に蓄電する制御を行うことを特徴とする請求項４または５に記載の車両用電力制御装置。
【請求項７】
前記機器は、前記車両の空調を行う空調装置（４２，４３）であり、
前記制御部は、前記補助用二次電池に蓄電された電力を変換して、前記空調装置を稼働する制御を行うことを特徴とする請求項１から６のいずれか一項に記載の車両用電力制御装置。
【請求項８】
前記制御部は、前記補助用二次電池が満充電状態である場合に限って、前記空調装置を稼働する制御を行うことを特徴とする請求項７に記載の車両用電力制御装置。
【請求項９】
前記機器は、鉛蓄電池（１３）であり、
前記制御部は、前記補助用二次電池に蓄電された電力を所定周波数範囲内のパルス波に変換して、前記鉛蓄電池に発生するサルフェーションを防止する制御を行うことを特徴とする請求項１から８のいずれか一項に記載の車両用電力制御装置。
【請求項１０】
前記制御部は、タイマー（２５ａ）のカウントがリフレッシュ時間になること、前記鉛蓄電池の電圧または電流の変動率が所定の閾値を超えること、所要の期間経過後に検出される前記鉛蓄電池の電圧または電流、のうちで一以上の条件に基づいて、前記パルス波に変換することを特徴とする請求項９に記載の車両用電力制御装置。
【発明の詳細な説明】
【技術分野】
【０００１】
本発明は、補助用二次電池や電力変換部などを有する車両用電力制御装置に関する。
【背景技術】
【０００２】
従来では、一旦蓄えたエネルギーをロスすることなく、簡便な方式により、電気車両電源用二次電池の性能劣化を防止することを目的とする電気車両電源用二次電池の冷却装置に関する技術の一例が開示されている（例えば特許文献１を参照）。
【０００３】
特許文献１に記載された電気車両電源用二次電池の冷却装置は、二次電池を冷却する冷却機と、冷却機を作動させる電力を発生供給するソーラバッテリーとを具備する。冷却機は二次電池を内部に収納する冷蔵ボックスである。車両の停止中（特に駐車中）において、ソーラバッテリーから供給される電力が設定電力未満となった場合にソーラバッテリーの電力によって開き、ソーラバッテリーから供給される電力が設定電力以上となった場合にソーラバッテリーの電力によって閉じる。
【先行技術文献】
【特許文献】
【０００４】
【特許文献１】特開２０００−３２３１８５号公報
【発明の概要】
【発明が解決しようとする課題】
【０００５】
しかし、特許文献１の技術を適用しても、ソーラバッテリーに蓄電された電力は、ソーラバッテリー自体の冷却しか利用されていない。そのため、車両全体のエネルギーマネジメントと言う観点で見ると、太陽光エネルギーの回収率の低下と発電電力を効率的に利用されていないという問題が生じている。
【０００６】
一方、車両には上記ソーラバッテリー以外に様々の機器が搭載される。例えば、二次電池、回転電機、空調装置、音響装置などが該当する。これらの機器はそれぞれに対応する電力源の電力によって稼働されるが、上述したように太陽光エネルギーの回収率が低下し、太陽電池の発電電力が効率的に利用されていない。
【０００７】
本発明はこのような点に鑑みてなしたものであり、太陽光エネルギーの回収率を従来よりも向上させ、太陽電池の発電電力を従来よりも効率的に利用することができる車両用電力制御装置を提供することを目的とする。
【課題を解決するための手段】
【０００８】
上記課題を解決するためになされた第１の発明は、車両（Ｖｅｈ）に備えられる太陽電池（３０）から供給される電力を蓄電する補助用二次電池（１２）と、前記電力を変換して前記補助用二次電池に蓄電する制御を行う制御部（２５）とを有する車両用電力制御装置（２０）において、前記制御部は前記補助用二次電池に蓄電された電力を変換して、前記車両に備えられる一以上の機器を稼働する制御を行うことを特徴とする。
【０００９】
この構成によれば、電力変換部は補助用二次電池に蓄電された電力を一以上の機器に供給して稼働する制御を行う。太陽電池から供給される電力（太陽光エネルギー）は補助用二次電池に蓄電されるので、太陽光エネルギーの回収率を従来よりも向上させることができる。また、一以上の機器に供給して稼働するので、太陽電池の発電電力を従来よりも効率的に利用することができる。
【００１０】
第２の発明は、前記機器は、前記車両の走行に用いる走行用二次電池（１１）であり、前記制御部は、前記補助用二次電池に蓄電された電力を変換して、前記走行用二次電池を昇温する制御を行うことを特徴とする。
【００１１】
走行用二次電池は、温度が低くなるにつれて内部抵抗値が上昇し、供給（放電，出力）できる電力が低下するという放電温度特性がある。この構成によれば、電力変換部は補助用二次電池に蓄電された電力を利用して走行用二次電池を適正温度（例えば−３０℃近辺〜０℃近辺；近辺は許容誤差範囲を含む）まで昇温する。走行用二次電池が適正温度になると内部抵抗値が低くなり、供給できる電力も適正に維持することができる。なお昇温方法は問わず、例えば走行用二次電池に電流を流して昇温してもよく、昇温器やヒーターで昇温してもよい。
【００１２】
第３の発明は、前記機器は、前記車両の走行に用いる回転電機（４１）であり、前記電力変換部は、前記車両が走行する際に、前記車両の走行に用いる走行用二次電池および前記補助用二次電池の一方または双方に蓄電された電力を変換して、前記回転電機を稼働（回転）させる制御を行うことを特徴とする。
【００１３】
回転電機を動力源として走行可能な車両では、内燃機関（エンジン）を動力源として走行しない場合（内燃機関を有しない場合を含む）、走行用二次電池に蓄電された電力を利用して回転電機を稼働させて走行する。この構成によれば、走行用二次電池および補助用二次電池の一方または双方に蓄電された電力を利用して回転電機を稼働させる。すなわち、補助用二次電池に蓄電された電力を利用して回転電機を稼働させたり、走行用二次電池および補助用二次電池の双方に蓄電された電力を利用して回転電機を稼働させたりする。走行用二次電池に蓄電された蓄電容量が低下した場合や、走行に必要な電力を確保できない場合には、補助用二次電池に蓄電された電力を利用する。こうすることで回転電機を動力源として走行せざるを得ない場合でも、確実に車両を走行させることが可能になる。
【００１４】
第４の発明は、前記機器は、前記車両の空調を行う空調装置（４２，４３）であり、前記電力変換部は、前記補助用二次電池に蓄電された電力を変換して、前記空調装置を稼働する制御を行うことを特徴とする。
【００１５】
補機として位置付けられる空調装置は、補機用二次電池や発電機等から供給される電力によって稼働される。この構成によれば、電力変換部は補助用二次電池に蓄電された電力を利用して空調装置を稼働する。鉛蓄電池に蓄電された蓄電容量が低下した場合や、停止中（駐車中を含む）のために発電機から電力を供給されない場合には、補助用二次電池に蓄電された電力を利用する。こうすることで鉛蓄電池や発電機から供給される電力では稼働できない場合でも、確実に空調装置を稼働させることができる。
【００１６】
第５の発明は、前記機器は、鉛蓄電池（１３）であり、前記電力変換部は、前記補助用二次電池に蓄電された電力を所定周波数範囲内のパルス波に変換して、前記鉛蓄電池に発生するサルフェーションを防止（除去を含む）する制御を行うことを特徴とする。
【００１７】
鉛蓄電池は、放電時に発生する硫酸鉛が結晶化すると、サルフェーションと呼ばれる現象を起こす。サルフェーションが生じると、充放電の容量が著しく低下したり、極寒地では硫酸の濃度低下に伴って電解液が凍結し易くなったりする。この構成によれば、電力変換部は補助用二次電池に電力をパルス波に変換して鉛蓄電池に伝達し、サルフェーションを防止する。すなわち、サルフェーションの発生を未然に防止（抑制）したり、既に発生したサルフェーションを除去したりする。したがって、鉛蓄電池の充放電容量が低下するのを防止し、電解液の凍結を防止することができる。
【００１８】
なお「一以上の機器」は、特許文献１に記載の冷却機以外の機器であって、車両に備えられる機器である。「補助用二次電池」，「走行用二次電池」，「補機用二次電池」はいずれも二次電池であり、蓄電と放電が行えれば種類を問わない。「空調装置」は、空調に関する機器であれば種類を問わず、例えば蓄熱器，コンプレッサ，エアコン，ヒーター，送風機（ブロワ，ファン）などが該当する。「所定周波数範囲」は、サルフェーションの発生を防止できる波形であれば任意に設定してもよい。波形は、正弦波や矩形波などの基本波でもよく、基本波を変調した変調波でもよく、相異なる複数の波形を合成して得られる合成波でもよい。「昇温」は加温や加熱に相当する。
【図面の簡単な説明】
【００１９】
【図１】車両の構成例を模式的に示す平面図である。
【図２】電力制御装置の構成例を示す模式図である。
【図３】太陽電池から供給される電力を蓄電する制御例を示す模式図である。
【図４】走行用二次電池を昇温する制御例を示す模式図である。
【図５】走行用二次電池を昇温する制御例を示すタイムチャート図である。
【図６】空調装置を稼働する制御例を示す模式図である。
【図７】空調装置を稼働する制御例を示すタイムチャート図である。
【図８】サルフェーションを防止する制御例を示す模式図である。
【図９】サルフェーションを防止する制御例を示すタイムチャート図である。
【図１０】回転電機を稼働する制御例を示す模式図である。
【図１１】回転電機を稼働する制御例を示すタイムチャート図である。
【発明を実施するための形態】
【００２０】
以下、本発明を実施するための形態について、図面に基づいて説明する。なお、特に明示しない限り、「接続する」という場合には電気的に接続することを意味する。各図は、本発明を説明するために必要な要素を図示し、実際の全要素を図示しているとは限らない。上下左右等の方向を言う場合には、図面の記載を基準とする。英数字の連続符号は記号「〜」を用いて略記する。例えば「スイッチＳＷ１〜ＳＷ４」は「スイッチＳＷ１，ＳＷ２，ＳＷ３，ＳＷ４」を意味する。
【００２１】
まず、本発明の基本的な構成例について、図１と図２を参照しながら説明する。図１に示す車両Ｖｅｈは、二次電池群１０，電力制御装置２０，太陽電池３０（ソーラーパネル），機器群４０などを有する。本形態ではハイブリッド自動車に適用するが、電気自動車にも適用することができる。いずれの要素についても、数量，種類，車両Ｖｅｈへの設置位置などを問わない。各要素について、以下に簡単に説明する。
【００２２】
二次電池群１０は、複数の二次電池からなる（図２を参照）。複数の二次電池は、蓄電（充電）と放電が可能であれば数量や種類等を問わない。図２の例では、走行用二次電池１１、補助用二次電池１２、補機用二次電池１３が該当する。
【００２３】
走行用二次電池１１は、車両Ｖｅｈが走行するにあたって回転電機４１を稼動するに必要な電力源である。二次電池であれば問わず、例えばリチウムイオン二次電池（リチウムイオンポリマー二次電池を含む）やニッケル・水素蓄電池などが該当する。走行用二次電池１１の温度（例えば電解液の温度など）を計測して温度情報を出力する温度計Ｔｍｐは必要に応じて備えてよい、温度計Ｔｍｐの設置位置は任意に設定してもよく、走行用二次電池１１の内外を問わない。
【００２４】
補助用二次電池１２は、太陽電池から供給される電力（太陽光エネルギー）を蓄電し、機器群４０を稼働するのに用いる電力源である。二次電池であれば問わず、走行用二次電池１１や補機用二次電池１３に用いる二次電池でもよく、他の二次電池でもよい。他の二次電池は、例えばニッケル・カドミウム蓄電池、ニッケル・鉄蓄電池、ニッケル・亜鉛蓄電池、酸化銀・亜鉛蓄電池などが該当する。
【００２５】
補機用二次電池１３は、主機（エンジンや回転電機４１のような動力源）を稼動するに必要な補機（付属機器）を作動させるための電力源である。本形態では、鉛蓄電池を適用する。走行用二次電池１１を「メインバッテリ」と位置付けると、補機用二次電池１３は「サブバッテリ」に相当する。補機は、例えばラジエーター，エアコン，カーナビゲーション・システム，音響装置（ラジオやオーディオ等），照明装置（保安用照明灯や室内灯等）などであって車両Ｖｅｈに搭載される機器が該当する。
【００２６】
太陽電池３０は、半導体の光起電力効果を利用して、光エネルギー（日射を含む）を電気エネルギー（電力）に変換して出力する電力源である。車両Ｖｅｈに搭載できれば、種類（例えばシリコン系，化合物系，有機系，量子ドット型，多接合型，薄膜型など）、数量、形状などを問わない。
【００２７】
機器群４０は、補助用二次電池１２に蓄電した電力を用いて稼働可能な機器であって、上述した補機や、補助用二次電池１２以外の二次電池などを含む（図２を参照）。図２の例では、走行用二次電池１１，補機用二次電池１３，回転電機４１，コンプレッサ４２，蓄熱器４３などが該当する。コンプレッサ４２と蓄熱器４３は「空調装置」に相当する。
【００２８】
図２に一点鎖線で示す電力制御装置２０は、「車両用電力制御装置」に相当し、昇圧コンバータ２１、インバータ２２，２３、変圧コンバータ２４，２６，２７、制御部２５、スイッチＳＷ１〜ＳＷ４などを有する。本形態では、走行制御部ＥＣＵ１と電力制御部ＥＣＵ２で電力制御装置２０を構成する。それぞれ二点鎖線で示す走行制御部ＥＣＵ１と電力制御部ＥＣＵ２は、いずれも「電力変換部」に相当し、ＥＣＵ（Electronic Control Unit）からなる。その他には、ＥＣＵと処理装置（例えばマイコンやコンピュータ等）を混在して構成してもよく、それぞれ処理装置で構成してもよい。要するに、電力制御装置２０は図示する要素を有していればよく、特に後述する第１制御例〜第５制御例のうちで一以上の制御例を実現するのに必要な要素を有していればよい。
【００２９】
走行制御部ＥＣＵ１は、スイッチＳＷ１，昇圧コンバータ２１，インバータ２２などを有する。走行用二次電池１１と昇圧コンバータ２１の間は第１線路で接続される。電力制御部ＥＣＵ２は、スイッチＳＷ２〜ＳＷ４、インバータ２３、変圧コンバータ２４，２６，２７、制御部２５などを有する。第１線路と変圧コンバータ２４の間は第２線路で接続される。変圧コンバータ２４と補助用二次電池１２の間は第３線路で接続される。各線路は電路，電線，接続線などとも呼ばれる。
【００３０】
昇圧コンバータ２１や変圧コンバータ２４，２６，２７は、いずれも回路構成を問わず、電圧を変圧するＤＣ−ＤＣコンバータである。昇圧コンバータ２１は、二次電池群１０のうちで、一以上の二次電池の電圧を変圧してインバータ２２に出力する。変圧コンバータ２４は、補助用二次電池１２や補機用二次電池１３の電圧を変圧して出力する。変圧コンバータ２６は、第３線路の電力を変圧して補機用二次電池１３に蓄電したり、補機用二次電池１３の電圧を変圧して第３線路に出力したりする。変圧コンバータ２７は、太陽電池３０から供給される電力（電圧）を変圧して第３線路に出力し、主として補助用二次電池１２に蓄電する。
【００３１】
昇圧コンバータ２１や変圧コンバータ２４，２６は、いずれも太陽電池３０から変圧コンバータ２７を経て供給される電力（電圧）を変圧して、コンバータごとに対応する出力対象にアシスト出力してもよい。一例として、スイッチＳＷ２，ＳＷ４をオンし、補助用二次電池１２の電力に対して太陽電池３０から変圧コンバータ２７を経た電力をアシストして、変圧コンバータ２４で変換して走行用二次電池１１に蓄電する制御が該当する。
【００３２】
回転電機４１で回生された電力は、スイッチＳＷ１をオンして、インバータ２２や昇圧コンバータ２１を経て走行用二次電池１１に蓄電してもよい。さらにはスイッチＳＷ２をオンして、変圧コンバータ２４や変圧コンバータ２６を経て補助用二次電池１２や補機用二次電池１３に蓄電してもよい。
【００３３】
インバータ２２，２３は、いずれも回路構成を問わず、直流電力を交流電力に変換して出力する。インバータ２２は、昇圧コンバータ２１で昇圧された直流電圧を交流電圧に変換して回転電機４１に出力する。インバータ２３は、第２線路に出力された補助用二次電池１２や補機用二次電池１３の電圧を変圧してコンプレッサ４２に出力する。コンプレッサ４２の作動によって蓄熱器４３に蓄熱される。蓄熱器４３の蓄熱は利用形態を問わず、機器の昇温に用いたり、ヒーターとして空調に用いたりしてよい。各インバータは、出力対象に応じて交流の相数を異ならせてもよく、同じ相数としてもよい。図２に示す構成例では、インバータ２２は回転電機４１に対応して三相交流で出力し、インバータ２３は蓄熱器４３に対応して単相交流で出力する。
【００３４】
スイッチＳＷ２〜ＳＷ４は、それぞれ電力を伝達する線路のオン（接続）とオフ（遮断，非接続）の切り替えを行う。いずれのスイッチもオンとオフの切り替えが行えれば、どのような素子や機器を用いてもよい。本形態では、ＳＭＲ（システムメインリレー）を用いる。図２に示す構成例では、スイッチＳＷ２を第２線路の途中に設け、スイッチＳＷ１を第１線路の途中に設け、スイッチＳＷ３を第２線路とインバータ２３の間に設け、スイッチＳＷ４を第３線路の途中に設ける。
【００３５】
制御部２５は、電力制御装置２０全体の動作を制御する。図２では電力制御部ＥＣＵ２に備える例を示すが、走行制御部ＥＣＵ１に備えてもよく、走行制御部ＥＣＵ１と電力制御部ＥＣＵ２にそれぞれ備えてもよく、電力制御装置２０の外部に備えてもよい。要するに、電力制御装置２０全体の動作を制御できればよい。
【００３６】
制御部２５は、上述した昇圧コンバータ２１、インバータ２２，２３、変圧コンバータ２４，２６，２７、スイッチＳＷ２〜ＳＷ４などの制御を行う。図示しないが、制御部２５と各要素の間は信号伝達が行えるように接続され、温度計Ｔｍｐの温度信号も入力可能に接続される。コンバータやインバータに対しては制御信号を伝達して電力変換を制御する。スイッチＳＷ２〜ＳＷ４に対しては作動信号を伝達して個別にオン／オフを制御する。制御例については後述する（図３以降を参照）。上述した機能を実現する限りにおいて、ＣＰＵがプログラムを実行するソフトウェア構成であると、ハードウェアロジックで作動するハードウェア構成であるとを問わない。制御部２５の内外には、必要に応じて計時機能を担うタイマー２５ａを備えてもよい（図８，図９を参照）。
【００３７】
制御部２５が行う制御によって、太陽電池３０から供給される電力は、一以上の二次電池群１０（特に補助用二次電池１２）に蓄電することができ、コンバータやインバータを介して一以上の機器群４０の稼働をアシストすることができる。二次電池群１０（特に補助用二次電池１２）に蓄電された電力をコンバータやインバータで変換して、一以上の機器群４０を稼働することができる。
【００３８】
以下では、制御部２５による制御例について、図３〜図１１を参照しながら説明する。図５，図７，図９，図１１にそれぞれ示すタイムチャート図は、理想的な変化（遷移）を示すものであって実際には遅延が生じる場合がある。各タイムチャート図に示す要求（例えば図５に示す間欠運転要求や昇温要求、図７に示す電力移転要求や空調要求など）は、外部装置から伝達される要求（指令を含む）や、電力制御装置２０内の制御フラグなどが該当する。外部装置は、電力制御装置２０の外部（車両Ｖｅｈの内外を問わない）に設けられる処理装置である。例えば、ＥＣＵ、カーナビゲーション・システム、携帯電話を含む携帯端末、コンピュータ（データセンターやマイコン等を含む）などが該当する。
【００３９】
（第１制御例）
第１制御例は、太陽電池３０から供給される電力を蓄電する制御例である。図３に示す制御部２５は、太陽電池３０から供給される電力を補助用二次電池１２に蓄電する制御を行う。すなわち太陽電池３０から供給される電力は、機器群４０を稼働するには小さいため、機器群４０を稼働可能な電力容量とするために蓄電する。第１制御例では、スイッチＳＷ４をオンにし、スイッチＳＷ２〜３をオフにする。
【００４０】
太陽電池３０は、日の出から日没までの間、光を受けて発電して電力を供給する。発電電力が最大になる出力電圧で電流を取り出すため、ＭＰＰＴ（Maximum Power Point Tracking；最大電力点追従）制御を行うとよい。太陽電池３０から供給される電力は、変圧コンバータ２７によって変換され、第３線路やスイッチＳＷ４を経て、補助用二次電池１２に蓄電される。必要に応じて、二点鎖線で示すように変圧コンバータ２６で電力を変換して補機用二次電池１３に蓄電してもよい。
【００４１】
（第２制御例）
第２制御例は、走行用二次電池１１を昇温する制御例である。図４に示す制御部２５は、走行用二次電池１１の温度が適正温度よりも低い場合に、補助用二次電池１２に蓄電された電力を変換して、走行用二次電池１１に電流を流して昇温する制御を行う。第２制御例では、スイッチＳＷ２，ＳＷ４のオン／オフを制御し、スイッチＳＷ１，ＳＷ３をオフにする。
【００４２】
図５には、昇温制御における経時的変化を示す。上から順番に、太陽電池３０の発電、走行用二次電池１１の温度（温度計Ｔｍｐの計測値）、間欠運転要求、昇温要求、補助用二次電池１２の充電率（ＳＯＣ；State Of Charge）である。なお、太陽電池３０が光エネルギーを受けるまでは、発電は休止状態（Sleep）、昇温要求はオフ（ＯＦＦ）である。
【００４３】
太陽電池３０が光エネルギーを受けて発電可能になる時刻ｔ１１には、電力を出力しない休止状態（Sleep）から、電力を出力する発電状態（Wake）に変わる。太陽電池３０が発電状態になり、かつ、走行用二次電池１１の温度が閾値Ｔｈ１１（例えば適正温度よりも低い温度）よりも低ければ、同じ時刻ｔ１１に昇温要求がオフ（ＯＦＦ）からオン（ＯＮ）に変わる。一方、太陽電池３０が発電状態になっても、走行用二次電池１１の温度が閾値Ｔｈ１１以上であれば、昇温要求はオフのままで維持される。
【００４４】
昇温要求がオンになると、図２に示すスイッチＳＷ２，ＳＷ４をオンにし、補助用二次電池１２の電力を変圧コンバータ２４で変換して、走行用二次電池１１に電流を流して昇温する。図５では、時刻ｔ１１から走行用二次電池１１の温度が上昇し、時刻ｔ１２には閾値Ｔｈ１２（ただしＴｈ１１＜Ｔｈ１２；例えば適正温度の下限温度）に達する。温度上昇中における補助用二次電池１２の充電率は、閾値Ｔｈ１４（上限値）と閾値Ｔｈ１３（下限値）の間で変化するように制御する。すなわち補助用二次電池１２の充電率は、スイッチＳＷ４をオンして走行用二次電池１１に電流を流すと低下してゆき、スイッチＳＷ４をオフして太陽電池３０から蓄電すると上昇してゆく。このように制御することで、補助用二次電池１２の充電率を閾値Ｔｈ１３（ただしＴｈ１３＜Ｔｈ１４）以上で維持しながら、走行用二次電池１１の昇温を行える。
【００４５】
時刻ｔ１２に走行用二次電池１１の温度が閾値Ｔｈ１２に達すると、走行用二次電池１１の内部抵抗値が低くなり、走行用二次電池１１から供給できる電力を適正に維持できる。よって時刻ｔ１２には、間欠運転要求は禁止から許可に変わり、昇温要求はオン（ＯＮ）からオフ（ＯＦＦ）に変わる。こうして、走行用二次電池１１の昇温を終える。
【００４６】
（第３制御例）
第３制御例は、空調（具体的には蓄熱器４３への蓄熱）を制御する例である。図６に示す制御部２５は、設定者が事前に空調を設定している場合に、補助用二次電池１２に蓄電された電力を変換して、コンプレッサ４２を稼働して蓄熱器４３に蓄熱する制御を行う。ただし、走行用二次電池１１の充電率が所定の閾値よりも低い場合は、蓄熱を行う前に走行用二次電池１１に蓄電する制御を行う。設定者は設定が行えれば任意の者が該当し、主に車両Ｖｅｈの関係者（例えば乗員）である。設定方法は任意であり、例えば車両Ｖｅｈに設けられた設定用のスイッチやボタン等でもよく、外部装置から伝達される信号でもよく、タイマー設定でもよい。第３制御例では、スイッチＳＷ２〜ＳＷ４のオン／オフを制御し、スイッチＳＷ１をオフにする。
【００４７】
図７には、蓄熱制御における経時的変化を示す。上から順番に、事前空調設定、走行用二次電池１１の充電率、補助用二次電池１２の充電率、電力移転要求（汲み上げ充電要求）、空調（蓄熱）要求である。事前空調設定が時刻ｔ２１にオン（ＯＮ）される場合を説明するが、時刻ｔ２１よりも前にオン（ＯＮ）されても結果として同じになる。
【００４８】
事前空調設定のタイミングと無関係であるが、時刻ｔ２１よりも前から太陽電池３０が光エネルギーを受けて発電しているため、補助用二次電池１２の充電率が上昇している。当該充電率が閾値Ｔｈ２２に達する時刻ｔ２２において、走行用二次電池１１の充電率が充電許可判定閾値Ｔｈ２０よりも低いため、電力移転要求がオン（ＯＮ）になる。閾値Ｔｈ２２には、補助用二次電池１２の充電率が通常使用許可範囲の１００％（すなわち過充電によって電池寿命を低下させない範囲の満充電状態）を設定するとよい。
【００４９】
電力移転要求がオンになると、スイッチＳＷ２，ＳＷ４をオンにし、補助用二次電池１２の電力を変圧コンバータ２４で変換して走行用二次電池１１に蓄電する。当該蓄電に伴って、補助用二次電池１２の充電率は低下してゆく一方で、走行用二次電池１１の充電率は上昇してゆく。補助用二次電池１２の充電率が時刻ｔ２３に閾値Ｔｈ２１（ただしＴｈ２１＜Ｔｈ２２）に達すると、これ以上の汲み上げ充電は行えないので、電力移転要求をオフ（ＯＦＦ）にするとともに、スイッチＳＷ２をオフにする。
【００５０】
電力移転要求がオフになると、再び補助用二次電池１２の充電率が上昇する。当該充電率が再び閾値Ｔｈ２２に達する時刻ｔ２４は、走行用二次電池１１の充電率が充電許可判定閾値Ｔｈ２０以上であるため、空調要求がオン（ＯＮ）になる。
【００５１】
空調要求がオンになると、スイッチＳＷ２，ＳＷ３をオンにし、補助用二次電池１２の電力を変圧コンバータ２４とインバータ２３で変換してコンプレッサ４２を稼働させ、蓄熱器４３に蓄熱する。コンプレッサ４２の稼働に伴って、補助用二次電池１２の充電率は低下してゆき、時刻ｔ２５に閾値Ｔｈ２１に達する。そこで、コンプレッサ４２の稼働を停止するとともに、スイッチＳＷ３をオフにする。時刻ｔ２５以降は、事前空調設定がオフになるまで、上述した時刻ｔ２３から時刻ｔ２５までの制御を繰り返す。
【００５２】
（第４制御例）
第４制御例は、補機用二次電池１３として用いる鉛蓄電池に生じ得るサルフェーションを防止するための制御例である。図８に示す制御部２５は、補助用二次電池１２に蓄電された電力を変換して、サルフェーションの防止制御を行う。第４制御例では、スイッチＳＷ４のオン／オフを制御し、スイッチＳＷ２〜ＳＷ３をオフにする。所定の時間間隔ごとにカウンタ（カウント値）を増やしたり、カウンタを初期値（例えば０）に初期化したりできるタイマー２５ａを備える。タイマー２５ａのカウンタが初期値から閾値Ｔｈ３０に達するまでの期間を「リフレッシュ時間」とする。図８ではタイマー２５ａを制御部２５に備えるが、制御部２５の外部に備えてもよい。本例では、波形として矩形波の一つであるパルス波を適用する。
【００５３】
図９には、サルフェーション防止制御における経時的変化を示す。上から順番に、補機用二次電池１３への蓄電要求、タイマー２５ａ（カウンタ）、リフレッシュ要求、補機用二次電池１３の電圧、電力変換指令である。なお、時刻ｔ３１よりも前に補機用二次電池１３への蓄電を行っているため、タイマー２５ａのカウンタは０でないと仮定する。また、タイマー２５ａのカウンタはバックアップ電源（例えば補機用二次電池１３等）によって保持されるか、不揮発性メモリに記録しておくのが望ましい。
【００５４】
時刻ｔ３１に蓄電要求がオン（ＯＮ）になると、スイッチＳＷ４をオンし、変圧コンバータ２６に指令値Ｖｐを伝達して補助用二次電池１２の電力を変換して補機用二次電池１３に蓄電する。補機用二次電池１３への蓄電と並行して、サルフェーションの発生を想定して、タイマー２５ａのカウンタを増やしてゆく。
【００５５】
タイマー２５ａのカウンタが閾値Ｔｈ３０に達する時刻ｔ３２には、リフレッシュ時間に達する。そこで、カウンタを０に初期化するとともに、リフレッシュ要求をオン（ＯＮ）にする。リフレッシュ要求がオンである間（図９では時刻ｔ３４まで）は、カウンタを増やさずに０のままとする。
【００５６】
時刻ｔ３２にリフレッシュ要求がオンになると、補機用二次電池１３への蓄電を止め、逆に閾値Ｔｈ３１（ただしＴｈ３１＜Ｔｈ３２）に達するまで放電させる。このように一時的に放電を強制して行うのは、補機用二次電池１３への過剰な蓄電を防止するためである。放電によって補機用二次電池１３の電圧は次第に低下してゆき、時刻ｔ３３には閾値Ｔｈ３１に達する。
【００５７】
時刻ｔ３３からは、補助用二次電池１２に蓄電された電力をパルス信号ＰＬＳに変換し、補機用二次電池１３に出力してサルフェーションを防止する。パルス信号ＰＬＳによって出力される波形はパルス波であり、周波数，デューティ比，出力期間などは、サルフェーションを防止できれば任意に設定してよい。本例の出力期間は、補機用二次電池１３の充電率が閾値Ｔｈ３１から閾値Ｔｈ３２になるまでの期間を適用する。補機用二次電池１３の構成，電力容量，サルフェーションの生成量等に応じて変えてもよい。補機用二次電池１３に出力するパルス信号ＰＬＳは、蓄電を行う電力でもある。そのため、補機用二次電池１３の充電率が上昇してゆき、時刻ｔ３４には再び閾値Ｔｈ３２に達するので、リフレッシュ要求をオフ（ＯＦＦ）にする。
【００５８】
時刻ｔ３４にリフレッシュ要求がオフになると、蓄電要求に応じて補機用二次電池１３に蓄電したり蓄電しなかったりする。図９の例では、時刻ｔ３３において蓄電要求がオンのままであるので、通常通りの蓄電を行う。すなわち時刻ｔ３１から時刻ｔ３２までの蓄電期間と同様にして、変圧コンバータ２６に指令値Ｖｐを伝達して補助用二次電池１２の電力を変換して補機用二次電池１３に蓄電する。補機用二次電池１３への蓄電を行うので、次回のリフレッシュ要求に備えてタイマー２５ａのカウンタを増やしてゆく。その後、再びタイマー２５ａのカウンタが閾値Ｔｈ３０に達すると（リフレッシュ時間）、上述した時刻ｔ３２から時刻ｔ３４までの制御を繰り返す。
【００５９】
図示しないが、時刻ｔ３４の時点で蓄電要求がオフ（ＯＦＦ）となる場合がある。例えば、閾値Ｔｈ３２が補機用二次電池１３の満充電（満蓄電）である場合などが該当する。この場合は、スイッチＳＷ４をオフにするとともに、変圧コンバータ２６への指令を停止して補機用二次電池１３への蓄電も終える。
【００６０】
（第５制御例）
第５制御例は、回転電機４１を稼働（回転）するにあたり、走行用二次電池１１とともに、他の二次電池の電力を用いてアシストする制御例である。図１０に示す制御部２５は、走行用二次電池１１とともに、補助用二次電池１２に蓄電された電力を変換して、回転電機４１を稼働させる制御を行う。第５制御例では、スイッチＳＷ１，ＳＷ２，ＳＷ４のオン／オフを制御し、スイッチＳＷ３をオフにする。
【００６１】
図１１には、電力アシスト制御における経時的変化を示す。上から順番に、アシスト要求（ＲＥＡＤＹ）、車両Ｖｅｈの車速（走行速度）、補助用二次電池１２の接続要求、補助用二次電池１２の使用モード、補助用二次電池１２の充電率、走行用二次電池１１の充電率である。
【００６２】
車両Ｖｅｈが走行可能モードになる前（時刻ｔ４１よりも前）は、電力制御装置２０は太陽光発電制御のみ起動しており、補助用二次電池１２へ太陽電池３０で発電した電力を充電する（上述した第１制御例を参照）。
【００６３】
関係者（主にドライバー）が車両Ｖｅｈを走行させるために走行制御装置（例えばＥＣＵであって外部装置に相当する）を起動させると（時刻ｔ４１）、走行可能モードであることを示すＲＥＡＤＹがオン（ＯＮ）になる。ＲＥＡＤＹがオンになると、エンジンの動力と回転電機４１の動力を組み合わせて走行（運転）する必要がある。この場合は、走行用二次電池１１の電力を変換して回転電機４１を稼働できるようにするため、スイッチＳＷ１をオンにすると共に、補助用二次電池１２の充電率が閾値Ｔｈ４２以上であることを条件として、補助用二次電池１２に蓄電した電力を利用可能にする。
【００６４】
図１１の例では、時刻ｔ４１において、補助用二次電池１２の充電率が閾値Ｔｈ４２に達している。そのため、補助用二次電池１２を並列に接続する接続要求（以下では単に「接続要求」と呼ぶ。）がオン（ＯＮ）になるとともに、補助用二次電池１２の使用モードを蓄電モードからアシストモードに切り替え、スイッチＳＷ２，ＳＷ４をオンにする。
【００６５】
時刻ｔ４２から車両Ｖｅｈが走行し始め、車速もまた変化し始める。アシスト要求がオンの状況下では、車両Ｖｅｈの走行（特に走行開始時）に大きなトルクを必要とするため、補助用二次電池１２の電力を変圧コンバータ２４で変換する。変圧コンバータ２４で変換された電力は、走行用二次電池１１の電力に重畳され、さらに昇圧コンバータ２１とインバータ２２でそれぞれ変換されて回転電機４１に出力する。こうして、走行用二次電池１１の電力に昇圧コンバータ２１の電力をアシストして回転電機４１を稼働できる。
【００６６】
補助用二次電池１２の充電率は、時刻ｔ４２から低下してゆき、時刻ｔ４３には蓄電が必要な閾値Ｔｈ４１（ただしＴｈ４１＜Ｔｈ４２）に達する。すなわち補助用二次電池１２を蓄電する必要があるので、接続要求をオフ（ＯＦＦ）にするとともに、補助用二次電池１２の使用モードをアシストモードから蓄電モードに切り替え、スイッチＳＷ２，ＳＷ４をオフにする。蓄電モードでは、上述した第１制御例のように、太陽電池３０から供給される電力を補助用二次電池１２に蓄電する制御を行う。
【００６７】
なお、接続要求をオンで維持するとともに、スイッチＳＷ２，ＳＷ４をオンで維持しながら、補助用二次電池１２に蓄電してもよい。すなわち、太陽電池３０から変圧コンバータ２７を経て供給される電力に代えて（あるいは加えて）、回転電機４１で回生される電力を補助用二次電池１２に蓄電する制御を行う。回転電機４１で回生される電力は、太陽電池３０から変圧コンバータ２７を経て供給される電力よりも大きいので、補助用二次電池１２への蓄電を迅速に行える。
【００６８】
時刻ｔ４３の後は、補助用二次電池１２への蓄電によって充電率が上昇するので、再び放電が可能な閾値Ｔｈ４２に達すると、時刻ｔ４２から時刻ｔ４３までの制御を繰り返してもよい。こうすることで、補助用二次電池１２について必要最低限の電力容量を確保するとともに、車両Ｖｅｈの走行（回転電機４１の稼働）のアシストが行える。
【００６９】
車両Ｖｅｈの走行中に回転電機４１で回生される電力は、インバータ２２や昇圧コンバータ２１を経て走行用二次電池１１に蓄電する。さらに、変圧コンバータ２４を経て補助用二次電池１２に蓄電してもよい。
【００７０】
走行用二次電池１１の電力に対して、補助用二次電池１２の電力をアシストして回転電機４１を稼働することで、走行用二次電池１１の充電率が大きく低下するのを抑えることができる。時刻ｔ４２以降は、補助用二次電池１２の電力がアシストされることで、実線で示す変化になる。これに対して、補助用二次電池１２の電力がアシストされない場合は、走行用二次電池１１の充電率は二点鎖線で示す変化になる。時刻ｔ４３以降は同じ低下率であるが、アシスト期間（時刻ｔ４２から時刻ｔ４３まで）は低下率が小さい。
【００７１】
（第５制御例の変形例）
図示しないが、車両Ｖｅｈがハイブリッド自動車であってエンジンが動力源として作動しなくなった場合（例えば燃料が無い場合や故障した場合等）や、車両Ｖｅｈが電気自動車であって走行用二次電池１１の電力を使い切ってしまった場合（電欠した場合等）には、非常事態に備えて二次電池群１０の電力を用いて回転電機４１を稼働するように制御してもよい。二次電池群１０の電力をどのように利用するのかは任意に設定してよい。通常は蓄電可能な電力容量が大きな二次電池から利用するのが望ましいので、走行用二次電池１１→補助用二次電池１２→補機用二次電池１３の順番になる。補助用二次電池１２および走行用二次電池１１のうちで、一方の二次電池に蓄電された電力を変換して回転電機４１を稼働させた後、他方の二次電池に蓄電された電力を変換して回転電機４１を稼働させるように制御してもよい。上り坂等のように車両Ｖｅｈの走行に大きなトルクが必要な場合は、複数の二次電池を並列接続して回転電機４１を稼働するように制御してもよい。いずれの制御を行うにせよ、エンジンが動力源として作動せず、回転電機４１を動力源として走行せざるを得ない場合でも、確実に車両Ｖｅｈを走行させることが可能になる。
【００７２】
（他の制御例）
上述した第１制御例〜第５制御例および第５制御例の変形例は個別に制御した。この形態に代えて（あるいは加えて）、二以上の制御例を任意に組み合わせて制御してもよい。例えば、同時並行して制御してもよく、時間的に前後して制御してもよく、組み合わせる制御例を経時的に変更して制御してもよく、外部装置から伝達される要求（指令）に沿った制御例の組み合わせで制御してもよい。いずれの制御を行うにせよ、組み合わせにかかる制御例の作用効果が得られる。
【００７３】
〔他の実施の形態〕
以上では本発明を実施するための形態について説明したが、本発明は当該形態に何ら限定されるものではない。言い換えれば、本発明の要旨を逸脱しない範囲内において、種々なる形態で実施することもできる。例えば、次に示す各形態を実現してもよい。
【００７４】
上述した実施の形態における第２制御例（変形例を含む）では、走行用二次電池１１に電流を流して昇温する構成とした（図４，図５を参照）。この形態に代えて（あるいは加えて）、走行用二次電池１１を昇温するための専用の温度調整機器を機器群４０として備え、補助用二次電池１２に蓄電された電力を変換して温度調整機器に出力する構成としてもよい。この構成でも走行用二次電池１１の昇温を行える。なお、温度調整機器に冷却機能を備える場合には、補助用二次電池１２が適正温度よりも高い場合に冷却できる。
【００７５】
上述した実施の形態における第２制御例（変形例を含む）では、走行用二次電池１１を対象として昇温する構成とした（図４，図５を参照）。この形態に代えて（あるいは加えて）、走行用二次電池１１以外の機器群４０や車両Ｖｅｈに備える機器であって、稼働にあたって昇温が必要な機器を対象として昇温する構成としてもよい。具体的には、機器に電流を流したり、上記温度調整機器に出力したりして、機器の適正温度まで昇温を行う。車両Ｖｅｈに備える様々な機器についても走行用二次電池１１と同様に昇温が行えるので、機器に応じた適正温度で効率良く稼働させることができる。
【００７６】
上述した実施の形態における第３制御例（変形例を含む）では、コンプレッサ４２を稼働させて蓄熱器４３に蓄熱する構成とした（図６，図７を参照）。この形態に代えて（あるいは加えて）、補助用二次電池１２に蓄電された電力を変換して、他の空調装置を稼働させる構成としてもよい。他の空調装置は、例えばエアコン，ヒーター，送風機（ブロワ，ファン）などが該当する。通常は補機用二次電池１３の電力を用いて稼働するが、補機用二次電池１３に代えて（あるいはアシストして）補助用二次電池１２の電力を利用することで、補機用二次電池１３の充電率の低下を抑制することができる。
【００７７】
上述した実施の形態における第４制御例では、タイマー２５ａのカウントがリフレッシュ時間になることを条件として、サルフェーションの防止制御を行う構成とした（図８，図９を参照）。この形態に代えて（あるいは加えて）、補機用二次電池１３の電圧または電流の変動率が所定の閾値（任意の設定値）を超えることを条件として、サルフェーションの防止制御を行う構成としてもよい。所要の期間経過後（任意の期間；例えば駐車期間）に検出される補機用二次電池１３の電圧または電流が所定の閾値に達することを条件として、サルフェーションの防止制御を行う構成としてもよい。これらの条件うちで二以上の条件を任意に組み合わせて適用してもよい。要するに、サルフェーションの発生を未然に防止できる条件や、既に発生したサルフェーションを除去する条件を適宜に設定する構成としてもよい。いずれの条件を設定しても、サルフェーションの発生を未然に防止したり、既に発生したサルフェーションを除去したりすることができる。
【００７８】
〔作用効果〕
上述した実施の形態および他の実施の形態によれば、以下に示す各効果を得ることができる。
【００７９】
（１）電力制御装置２０（車両用電力制御装置）において、制御部２５は、補助用二次電池１２に蓄電された電力を変換して、車両Ｖｅｈに備えられる機器群４０のうちで一以上の機器を稼働する制御を行う構成とした（図１〜図１１を参照）。この構成によれば、補助用二次電池１２に蓄電された電力を一以上の機器に供給して稼働する制御を行う。太陽電池３０から供給される電力は補助用二次電池１２に蓄電されるので、太陽光エネルギーの回収率を従来よりも向上させることができる。また、一以上の機器に供給して稼働するので、太陽電池３０の発電電力を従来よりも効率的に利用することができる。
【００８０】
（２）制御部２５は、太陽電池３０から電力が供給されること、および、要求があることのうちで一方または双方の条件を満たすと、機器を稼働する制御を行う構成とした（第１制御例〜第５制御例；図４〜図１１を参照）。この構成によれば、太陽電池３０から電力が供給される場合には、補助用二次電池１２に充電したり、機器の稼働をアシストしたりすることができる。
【００８１】
（３）機器は車両Ｖｅｈの走行に用いる走行用二次電池１１であり、制御部２５は補助用二次電池１２に蓄電された電力を変換して、走行用二次電池１１を昇温する制御を行う構成とした（図４，図５を参照）。この構成によれば、補助用二次電池１２に蓄電された電力を利用して走行用二次電池１１を適正温度まで昇温する。走行用二次電池１１が適正温度になると内部抵抗値が低くなり、走行用二次電池１１から供給できる電力を適正に維持することができる。
【００８２】
（４）機器は車両Ｖｅｈの走行に用いる回転電機４１であり、制御部２５は車両Ｖｅｈが走行する際に、車両Ｖｅｈの走行に用いる走行用二次電池１１および補助用二次電池１２の一方または双方に蓄電された電力を変換して、回転電機４１を稼働させる制御を行う構成とした（図１０，図１１を参照）。この構成によれば、走行用二次電池１１および補助用二次電池１２の一方または双方に蓄電された電力を利用して回転電機４１を稼働させる。走行用二次電池１１に蓄電された蓄電容量が低下した場合や、走行に必要な電力を確保できない場合には、補助用二次電池１２に蓄電された電力を利用する。こうすることで回転電機４１を動力源として走行せざるを得ない場合でも、確実に車両Ｖｅｈを走行させることが可能になる。
【００８３】
（５）制御部２５は、補助用二次電池１２および走行用二次電池１１のうちで、一方の二次電池に蓄電された電力を変換して回転電機４１を稼働させた後、他方の二次電池に蓄電された電力を変換して回転電機４１を稼働させる制御を行う構成とした（図１０，図１１を参照）。この構成によれば、走行用二次電池１１および補助用二次電池１２の一方または双方に蓄電された電力を利用して回転電機４１を稼働させる。走行用二次電池１１に蓄電された蓄電容量が低下した場合や、走行に必要な電力を確保できない場合には、補助用二次電池１２に蓄電された電力を利用する。こうすることで回転電機４１を動力源として走行せざるを得ない場合でも、確実に車両Ｖｅｈを走行させることが可能になる。
【００８４】
（６）制御部２５は、回転電機４１で回生される電力を変換して、二次電池群１０のうちで少なくとも補助用二次電池１２に蓄電する制御を行う構成とした（図１０を参照）。この構成によれば、少なくとも補助用二次電池１２には、太陽電池３０から供給される電力以外に、回生電力を用いて蓄電することができるようになるので、充電率の低下を抑制することができる。
【００８５】
（７）機器は、車両Ｖｅｈの空調を行うコンプレッサ４２および蓄熱器４３（空調装置）であり、制御部２５は補助用二次電池１２に蓄電された電力を変換して、コンプレッサ４２を稼働することにより蓄熱器４３に蓄熱する制御を行う構成とした（図６，図７を参照）。この構成によれば、補助用二次電池１２に蓄電された電力を利用してコンプレッサ４２を稼働して蓄熱器４３に蓄熱する。補機用二次電池１３に蓄電された蓄電容量が低下した場合や、停止中（駐車中を含む）のために発電機から電力を供給されない場合には、補助用二次電池１２に蓄電された電力を利用する。こうすることで補機用二次電池１３や発電機から供給される電力では稼働できない場合でも、確実にコンプレッサ４２を稼働して蓄熱器４３に蓄熱することができる。また、走行用二次電池１１、補助用二次電池１２と補機用二次電池１３が満充電状態で太陽電池３０の発電電力を転移する先が無い場合でも、太陽電池３０の発電を継続でき、太陽光エネルギーの回収率を向上させることができる。コンプレッサ４２および蓄熱器４３以外の他の空調装置でも同様である。
【００８６】
（８）制御部２５は、補助用二次電池１２の充電率が閾値Ｔｈ２２（満充電状態）である場合に限って、コンプレッサ４２および蓄熱器４３（空調装置）を稼働する制御を行う構成とした（図６，図７を参照）。この構成によれば、補助用二次電池１２の充電率が低いときに、さらに低下するのを防止する。言い換えれば余剰となる電力を活かして、コンプレッサ４２を稼働して蓄熱器４３に蓄熱することができる。
【００８７】
（９）機器は補機用二次電池１３であり、制御部２５は補助用二次電池１２に蓄電された電力を所定周波数範囲内のパルス波に変換して、補機用二次電池１３に発生するサルフェーションを防止する制御を行う構成とした（図８，図９を参照）。この構成によれば、補助用二次電池１２に電力をパルス波に変換して補機用二次電池１３に伝達し、サルフェーションを防止する。すなわち、サルフェーションの発生を未然に防止（抑制）したり、既に発生したサルフェーションを除去したりする。したがって、補機用二次電池１３の充放電容量が低下するのを防止し、電解液の凍結を防止することができる。
【００８８】
（１０）制御部２５は、タイマー２５ａのカウントがリフレッシュ時間になること、補機用二次電池１３の電圧または電流の変動率が閾値を超えること、所要の期間経過後に検出される補機用二次電池１３の電圧または電流が所定の閾値に達すること、のうちで一以上の条件に基づいて、パルス信号ＰＬＳ（パルス波）に変換する構成とした（図８，図９を参照）。この構成によれば、サルフェーションの発生を未然に防止したり、既に発生したサルフェーションを除去したりすることができる。よって、鉛蓄電池である補機用二次電池１３の充放電容量が低下するのを防止し、電解液の凍結を防止することができる。
【符号の説明】
【００８９】
１１  走行用二次電池（二次電池群，機器群）
１２  補助用二次電池（二次電池群）
１３  補機用二次電池（二次電池群，機器群）
２０  電力制御装置
２５  制御部
３０  太陽電池
４０  機器群
ＥＣＵ１  走行制御部（電力変換部）
ＥＣＵ２  電力制御部（電力変換部）
Ｖｅｈ  車両
【図１】
2015149818.tif 000003
【図２】
2015149818.tif 000004
【図３】
2015149818.tif 000005
【図４】
2015149818.tif 000006
【図５】
2015149818.tif 000007
【図６】
2015149818.tif 000008
【図７】
2015149818.tif 000009
【図８】
2015149818.tif 000010
【図９】
2015149818.tif 000011
【図１０】
2015149818.tif 000012
【図１１】
2015149818.tif 000013